(57)【特許請求の範囲】
【請求項１】
用紙の画像が形成された面側に配され回転する上可動刃と、用紙の裏面側に配され回転する下可動刃とを備えるカッターユニットを第１の方向に移動させたときには用紙を切断し、前記第１の方向と反対の第２の方向に移動させたときには用紙を切断しない用紙切断装置であって、
前記上可動刃は前記下可動刃よりも用紙搬送方向の下流側に配され、
前記カッターユニットを前記第２の方向に移動させる際に装置本体の前記上可動刃より用紙搬送方向の上流側に残った用紙が前記下可動刃と接触するのを防止するために、前記上可動刃と前記下可動刃よりも用紙搬送方向の上流側に配置され前記カッターユニットが前記第２の方向に移動するときに用紙搬送方向の上流側に残った用紙を持ち上げる斜面である第１案内面と、前記第１案内面に連続し前記下可動刃の最上部よりも上方で用紙を案内する第２案内面を有した突起を、前記上可動刃と前記下可動刃が重なる位置よりも前記第２の方向の下流側に前記カッターユニットに一体的に設けることを特徴とする用紙切断装置。
【請求項２】
記録ヘッドを用いて搬送される用紙に画像を形成する記録装置において、
画像形成された用紙を切断するために請求項１に記載の用紙切断装置を備え、
前記記録ヘッドと対向する位置で用紙を支持するプラテンと、前記プラテンと前記カッターユニットの間でシートを案内するガイドを有し、前記ガイドは前記プラテンよりも低い位置でシートを案内することを特徴とする記録装置。
【発明の詳細な説明】
【技術分野】
【０００１】
本発明は、画像が記録された用紙を切断する用紙切断装置に関する。詳しくは、可動刃を有するカッターユニットを第１の方向に移動させたときには用紙を切断し、第２の方向に移動させたときには用紙を切断しない用紙切断装置に関する。
【背景技術】
【０００２】
従来から、画像が記録された用紙を切断するカッターを備えた用紙切断装置がある。用紙切断装置は、連続紙に画像を記録し、画像を記録した部分を切断するときに用いられる。また、カット紙に記録を行う記録装置においても、用紙の全面に縁なしで記録をした記録物を作成するために画像を記録した部分を切断するために用紙切断装置が用いられることがある。この用紙切断装置の一形態として、用紙の画像が記録された面側に配され回転する上可動刃および用紙の裏面側に配され回転する下可動刃を備えるカッターユニットを用紙の幅方向に移動させることにより用紙を切断する構成がある。この構成では、カッターユニットを第１の方向に移動させるときには用紙を切断し、カッターユニットを第１の方向と反対の第２の方向に移動させるときには用紙を切断しない。このように、カッターユニットを一方向に移動させたときにのみ用紙を切断するため、本明細書では一方向切断方式の用紙切断装置とよぶ。
【０００３】
上記の切断装置では、用紙を幅方向に押しながら用紙を切断するため、用紙に対して切断方向に張力がかかる。そのため、用紙を切断した後に、カッターユニットの切断位置に対して装置本体に残る用紙の一部が突出する現象が発生する。これにより、第２の方向にカッターユニットを移動させるときに、突出した用紙にカッターユニットが接触して用紙先端部を傷つけたり紙粉を発生させるという問題があった。
【０００４】
特許文献１には、カッターで用紙を切断した後、装置本体に残された用紙を逆方向に搬送してからカッターを第２の方向に移動させる構成が開示されている。
【特許文献１】特開平４−３６０４５４号公報
【発明の開示】
【発明が解決しようとする課題】
【０００５】
しかしながら、特許文献１に記載の用紙切断装置では、用紙を逆方向に戻す動作が必要なため、スループットが低下するという課題があった。また、用紙の全面に縁なしで記録をした記録物を作成するときは、用紙の切断後に用紙を逆方向に搬送することにより画像品位が低下するという課題があった。
【０００６】
本発明はこのような技術的課題に鑑みてなされたものである。本発明の目的は、第１の方向に移動させるときには用紙を切断し、第２の方向に移動させるときには用紙を切断しないカッターユニットを備える構成において、スループットが低下することなく高品位の記録物を生成することができる用紙切断装置を提供することである。
【課題を解決するための手段】
【０００７】
本発明は、用紙の画像が形成された面側に配され回転する上可動刃と、用紙の裏面側に配され回転する下可動刃とを備えるカッターユニットを第１の方向に移動させたときには用紙を切断し、前記第１の方向と反対の第２の方向に移動させたときには用紙を切断しない用紙切断装置であって、前記上可動刃は前記下可動刃よりも用紙搬送方向の下流側に配され、前記カッターユニットを前記第２の方向に移動させる際に装置本体の前記上可動刃より用紙搬送方向の上流側に残った用紙が前記下可動刃と接触するのを防止するために、前記上可動刃と前記下可動刃よりも用紙搬送方向の上流側に配置され前記カッターユニットが前記第２の方向に移動するときに用紙搬送方向の上流側に残った用紙を持ち上げる斜面である第１案内面と、前記第１案内面に連続し前記下可動刃の最上部よりも上方で用紙を案内する第２案内面を有した突起を、前記上可動刃と前記下可動刃が重なる位置よりも前記第２の方向の下流側に前記カッターユニットに一体的に設けることを特徴とする。
【発明の効果】
【０００８】
本発明によれば、第１の方向に移動させたときには用紙を切断し、第２の方向に移動させたときには用紙を切断しないカッターユニットを備える構成において、スループットが低下することなく高品位の記録物を生成することができる用紙切断装置を提供することができる。
【発明を実施するための最良の形態】
【０００９】
以下に本発明の実施形態を説明する。なお、各図面を通して同一符号は同一又は対応部分を示すものである。図１は第１の実施形態に係る用紙切断装置を備えた記録装置の斜視図である。図２は第１の実施形態に係る用紙切断装置の斜視図である。図３はカッターユニットを用紙の搬送方向下流側から見た斜視図である。図４はカッターユニットを用紙の搬送方向上流側から見た斜視図である。図５はカッターユニットが第２の方向へ移動を開始したときの斜視図である。図６はカッターユニットが用紙を切断しているときの斜視図である。
【００１０】
本実施形態では、画像情報に基づいて被記録材に記録を行う記録装置２で使用される用紙切断装置を例に挙げて説明する。まず、被記録材として給紙された用紙３に画像を形成し、スタック部４に排出するまでの一連の動作を説明する。ロール紙である連続用紙、あるいは給紙部または手差し部から供給される単票紙などの用紙は、搬送ローラ５により画像形成部（記録部）を通して搬送される間に、記録ヘッド３０によって画像を形成される。本実施形態に係る記録装置２は、記録ヘッド３０から被記録材（用紙）３へインクを吐出して画像を形成するインクジェット記録装置である。図１の矢印Ｙは用紙３の搬送方向を示し、用紙３は記録装置２の後方から前方へ向けて搬送される。記録ヘッド３０は、左右方向（矢印Ｘ方向）に配設されたガイドレール（不図示）に沿って往復移動可能なキャリッジ６に搭載されている。キャリッジ６に搭載された記録ヘッド３０とプラテン７上に支持された用紙３との間には、所定のギャップが設けられている。なお、プラテン７は、記録装置２のシャーシを兼ねている。
【００１１】
記録装置２は、記録ヘッド３０により画像を形成された用紙３を切断するための用紙切断装置１を備えている。用紙切断装置１は、用紙の画像が形成された面側に配され回転する上可動刃１３ａと、用紙の裏面側に配され回転する下可動刃１３ｂと、を具備したカッターユニット１２を備える。そして、カッターユニット１２を用紙３の幅方向に移動させることにより用紙３を切断する。つまり、用紙３が搬送ローラ５により所定の切断位置８まで搬送されると切断指令信号が発せられ、待機していたカッターユニット１２をＸ１からＸ２に向かう切断方向（第１の方向）へ移動させることにより用紙３を切断する。カッターユニット１２を切断ライン８に沿って切断開始位置から切断終了位置へ移動させることにより、用紙３の搬送方向下流側の記録済み部分９が切断される。カッターユニット１２は用紙の幅方向に配置されたガイドレール１０に沿って往復移動可能である。カッターユニット１２の往復移動は、不図示の駆動部からベルト１４を介して伝達される駆動力によって行われる。カッターユニット１２により切り離された用紙９は、搬送方向下流側に配されたスタック部４に排出される。
【００１２】
記録装置２には、搬送方向から見て上流側から下流側へ、プラテン７、ガイドレール１０および排紙ガイド１１が配されている。プラテン７は、記録ヘッドと対向する位置で用紙３を支持する。排紙ガイド１１は、スタック部４へ排出される用紙を案内する。ここで、ガイドレール１０の上面はプラテン７の搬送面より若干低い面になっており、排紙ガイド１１の上面はガイドレール１０の上面より若干低い面になっている。このように、用紙３の搬送路は搬送方向に漸次低位になるように形成されている。
【００１３】
次に、用紙切断装置１の切断動作について説明する。用紙切断装置１は、用紙の画像が形成された面側に配され回転する上可動刃１３ａと、用紙の裏面側に配され回転する下可動刃１３ｂと、を備えるカッターユニット１２を有する。上可動刃１３ａと下可動刃１３ｂとは用紙に点接触しており、その接触点によって用紙を切断する切断部１５が形成されている。上可動刃１３ａおよび下可動刃１３ｂは、カッターユニット１２の移動に伴い、用紙と接触することで回転する。
【００１４】
上可動刃１３ａと下可動刃１３ｂを回転可能に支持するカッターユニット１２は、駆動部（不図示）からの駆動をベルト１４を介して伝達されることで、両矢印Ｘ方向に往復移動させる。カッターユニット１２をＸ１からＸ２への第１の方向に移動させることにより用紙３を切断する。用紙を切断した後、カッターユニット１２をＸ２からＸ１への第２の方向に移動させるときは、用紙を切断しない。第２の方向は、第１の方向の反対である。ここで、用紙を切断するときには、切断ライン８において用紙３を幅方向に押しながら切断するため、用紙に対して切断方向に張力がかかる。このため、用紙を切断した後に、カッターユニットの切断位置に対して装置本体に残る用紙の一部が突出する現象が発生する。
【００１５】
次に用紙切断装置１の構成および動作について説明する。カッターユニット１２を第１の方向に移動させる際に、上可動刃１３ａと下可動刃１３ｂとで形成される切断部１５に用紙を導くための開口部１８がカッターユニット１２には形成されている。開口部１８で用紙を切断部に導くことにより適切に用紙を切断することができる。下可動刃１３ｂの最上部はガイドレール１０の上面より上方へ突出しており、上可動刃１３ａと下可動刃１３ｂで形成される切断部１５はガイドレール１０の上面より上方に位置している。カッターユニット１２を第２の方向に移動させる際に、切断部１５の手前には切断動作により装置本体に切り残された用紙が下可動刃１３ｂと接触することを防止するための突起１９がカッターユニット１２に一体的に設けられている。この突起１９により、カッターユニット１２を第２の方向へ移動させるときに、装置本体に残された用紙は下可動刃１３ｂの最上部（円周最上部）２０よりも上方に案内される。
【００１６】
突起１９の構成および作用は以下のとおりである。突起１９には、カッターユニット１２を第２の方向に移動させるときに用紙の端部１７と接触して用紙の端部１７を持ち上げる第１案内面２１が形成されている。第１案内面２１は斜面で形成される。この第１案内面２１により、用紙の端部１７で用紙折れが発生することを防止できる。また、突起１９は、第１案内面２１に連続して配され、用紙と平行な第２案内面２２を有する。この第２案内面２２は、下可動刃１３ｂの円周最上部２０よりも高い位置に配される。
【００１７】
さらに、突起１９は、第２案内面２２に連続して配され、切断部１５の手前で終わる斜面である第３案内面２３を有する。この第３案内面２３は、カッターユニット１２を第１の方向に移動させる際に、突起１９により切断動作が影響を受けないよう斜面で形成されている。以上の構成を有する突起１９は、カッターユニット１２の切断部１５よりも搬送方向上流側に配される。そして、用紙の搬送方向において、下可動刃１３ｂが上可動刃１３ａの上流側に配される構成において、特に有効である。
【００１８】
以上の実施形態に係る用紙切断装置１は、用紙３の搬送面に関し上側に配される上可動刃１３ａおよび下側に配される下可動刃１３ｂを回転可能に保持したカッターユニット１２を備えている。そして、カッターユニット１２を第１の方向へ移動させることにより、上可動刃１３ａと下可動刃１３ｂにより形成された切断部１５で用紙３を切断する。そこで、カッターユニット１２の切断部１５より切断方向下流側の部位に、カッターユニット１２を第２の方向へ移動させるときに装置本体に残された用紙１６の先端部を下可動刃１３ｂの最上部２０よりも上方に案内する突起１９が設けられている。
【００１９】
かかる構成の用紙切断装置１によれば、可動刃１３ａ、１３ｂで形成される切断部１５を第２の方向に移動させるときに、可動刃１３ａ、１３ｂが装置本体に残された用紙１６の先端部１７と擦ることを防止できる。これにより、用紙を逆方向に搬送する必要がない。
【００２０】
なお、以上の実施形態に係る用紙切断装置は、連続用紙を所定長さに切断する場合や、縁無し記録される用紙の先端部または後端部の画像領域の内側を切断する場合に限定されるものではなく、シート状の用紙を切断する場合に広く適用可能なものである。また、以上の実施形態では、記録ヘッド３０を搭載したキャリッジ６往復移動させて画像を記録するシリアルタイプの記録装置を例に挙げて説明した。本発明は、紙送りのみで１ラインずつ一括して画像を形成するラインタイプの記録装置にも同様に適用可能である。また、切断する用紙の材質も、紙、プラスチックシート、写真調印画紙、布などの他、シート状の用紙であれば広く使用することができる。
【図面の簡単な説明】
【００２１】
【図１】第１の実施形態に係る用紙切断装置を備えた記録装置の斜視図である。
【図２】第１の実施形態に係る用紙切断装置の斜視図である。
【図３】カッターユニットを用紙の搬送方向下流側から見た斜視図である。
【図４】カッターユニットを用紙の搬送方向上流側から見た斜視図である。
【図５】カッターユニットが第２の方向へ移動を開始したときの斜視図である。
【図６】カッターユニットが用紙を切断しているときの斜視図である。
【符号の説明】
【００２２】
１      用紙切断装置
２      記録装置
３      用紙（被記録材）
５      搬送ローラ
７      プラテン
１０    ガイドレール
１２    カッターユニット
１３ａ  上可動刃
１３ｂ  下可動刃
１５    切断部
１８    開口部
１９    突起
２１    第１案内面
２２    第２案内面
２３    第３案内面
【図１】
0005335278.tif 000002
【図２】
0005335278.tif 000003
【図３】
0005335278.tif 000004
【図４】
0005335278.tif 000005
【図５】
0005335278.tif 000006
【図６】
0005335278.tif 000007